【手続補正書】
【提出日】平成16年3月9日(2004.3.9)
【手続補正１】
【補正対象書類名】明細書
【補正対象項目名】特許請求の範囲
【補正方法】変更
【補正の内容】
【特許請求の範囲】
【請求項１】
二次電源の電圧を検出する電圧検出装置において、
前記二次電源が急速充電されているか否かを検出する急速充電検出手段と、
前記急速充電が検出されていない場合には、前記二次電源の蓄電量に相関を有する検出対象電圧を検出電圧として出力し、前記急速充電が検出されている場合には、前記急速充電に起因して二次電源に発生する見かけ上の電圧上昇分を前記検出対象電圧から相殺した検出電圧を出力する電圧生成手段と、
前記検出電圧に基づいて、電圧検出結果信号を出力する電圧検出結果出力手段と、
を備えたことを特徴とする電圧検出装置。
【請求項２】
請求項１記載の電圧検出装置において、
前記電圧検出結果出力手段は、前記検出電圧と予め定めた所定の基準電圧とを比較し、当該比較の結果を前記電圧検出結果信号として出力することを特徴とする電圧検出装置。
【請求項３】
請求項１または請求項２記載の電圧検出装置において、
前記急速充電検出手段は、前記二次電源への充電状態を検出する充電状態検出手段と、
前記充電状態が連続して検出された時間が予め定めた所定の充電基準時間を経過した場合に前記急速充電状態に移行したと判別する急速充電状態判別手段と、
を備えたことを特徴とする電圧検出装置。
【請求項４】
請求項１または請求項２記載の電圧検出装置において、
前記二次電源は、発電装置により充電され、
前記急速充電検出手段は、前記発電装置の発電状態を検出する発電状態検出手段と、
前記発電状態が連続して検出された時間が予め定めた所定の発電基準時間を経過した場合に前記急速充電状態であると判別する急速充電状態判別手段と、
を備えたことを特徴とする電圧検出装置。
【請求項５】
請求項１または請求項２記載の電圧検出装置において、
前記二次電源は、発電装置により充電され、
前記急速充電検出手段は、前記二次電源への充電状態を検出する充電状態検出手段と、
前記発電装置の発電状態を検出する発電状態検出手段と、
前記充電状態が連続して検出された時間が予め定めた所定の充電基準時間を経過した場合、もしくは、前記発電状態が連続して検出された時間が予め定めた所定の発電基準時間を経過した場合に前記急速充電状態であると判別する急速充電状態判別手段と、を備え、
前記発電基準時間は、前記充電基準時間よりも長く設定されている、
ことを特徴とする電圧検出装置。
【請求項６】
請求項１記載の電圧検出装置において、
前記電圧生成手段は、前記二次電源の蓄電量に相関を有する電圧を検出対象電圧として出力する検出対象電圧出力手段と、
前記急速充電が検出されている場合に、前記急速充電に起因して二次電源に発生する見かけ上の電圧上昇分の電圧である補正電圧分を、前記検出対象電圧から相殺する電圧補正手段と、を備えたことを特徴とする電圧検出装置。
【請求項７】
請求項６記載の電圧検出装置において、
前記検出対象電圧出力手段は、複数の相異なる前記検出対象電圧を生成し、
前記電圧補正手段は、前記複数の相異なる検出対象電圧にそれぞれ対応させて前記補正電圧を生成することを特徴とする電圧検出装置。
【請求項８】
請求項１記載の電圧検出装置において、
前記補正電圧は、予め定めた所定のオフセット電圧であることを特徴とする電圧検出装置。
【請求項９】
請求項６記載の電圧検出装置において、
前記二次電源の種類を判別する電源種類判別手段と、
前記電源種類判別手段の判別結果に基づいて、複数の前記検出対象電圧に対応する複数の電圧検出結果信号のうちいずれかを選択して出力する判別結果選択手段と、
を備えたことを特徴とする電圧検出装置。
【請求項１０】
請求項１記載の電圧検出装置において、
電圧検出結果出力手段は、前記二次電源の電圧を予め定めた所定の電圧幅を有する複数の段階に判別し、
前記補正電圧あるいは前記検出対象電圧の少なくともいずれか一方は前記段階毎に設定されることを特徴とする電圧検出装置。
【請求項１１】
請求項９記載の電圧検出装置において、
前記補正電圧あるいは前記検出対象電圧出力手段の出力する前記検出対象電圧のうち少なくとも前記補正電圧は前記二次電源の種類に対応して設定され、
前記電圧補正手段は、前記二次電源の種類に対応する複数の前記補正電圧を生成する補正電圧生成手段と、
前記電源種類判別手段の判別結果に対応する補正電圧を選択して出力する補正電圧選択手段と、を備えたことを特徴とする電圧検出装置。
【請求項１２】
請求項９記載の電圧検出装置において、
前記補正電圧および前記検出対象電圧出力手段の出力する前記検出対象電圧はそれぞれ前記二次電源の種類に対応して設定され、
前記検出対象電圧出力手段は、前記二次電源の種類に対応する複数の検出対象電圧を生成する検出対象電圧生成手段と、
前記電源種類判別手段の判別結果に対応する検出対象電圧を選択して出力する検出対象電圧選択手段と、を備え、
前記電圧補正手段は、前記二次電源の種類に対応する複数の補正電圧を生成する補正電圧生成手段と、
前記電源種類判別手段の判別結果に対応する補正電圧を選択して出力する補正電圧選択手段と、を備えた、
ことを特徴とする電圧検出装置。
【請求項１３】
請求項９記載の電圧検出装置において、
前記電源種類判別手段は、外部入力端子を介して入力、あるいはメモリから入力される種類指示信号に基づいて前記二次電源の種類を判別することを特徴とする電圧検出装置。
【請求項１４】
請求項１記載の電圧検出装置において、
前記検出対象電圧は所定の昇降圧倍率で昇降圧がなされた後の電圧であり、
前記昇降圧倍率に基づいて、複数の前記検出対象電圧に対応する複数の電圧検出結果信号のうちいずれかを選択して出力する判別結果選択手段と、
を備えたことを特徴とする電圧検出装置。
【請求項１５】
二次電源の電池残量を検出する電池残量検出装置において、
請求項１ないし請求項１４のいずれか一項に記載の電圧検出装置と、
前記電圧検出装置の出力した電圧検出結果信号に基づいて前記二次電源の残容量を判別する残容量判別手段と、
を備えたことを特徴とする電池残量検出装置。
【請求項１６】
二次電源の電圧を検出する電圧検出方法において、
前記二次電源が急速充電されているか否かを検出する急速充電検出過程と、
前記急速充電が検出されていない場合には、前記二次電源の蓄電量に相関を有する検出対象電圧を検出電圧として出力し、前記急速充電が検出されている場合には、前記急速充電に起因して二次電源に発生する見かけ上の電圧上昇分を前記検出対象電圧から相殺した検出電圧を出力する電圧生成過程と、
前記検出電圧に基づいて、電圧検出結果信号を出力する電圧検出結果出力過程と、
を備えたことを特徴とする電圧検出方法。
【請求項１７】
二次電源の電池残量を検出する電池残量検出方法において、
請求項１６記載の電圧検出方法により得られた検出電圧と予め定めた基準電圧とを比較することにより前記二次電源の残容量を判別する残容量判別過程を備えたことを特徴とする電池残量検出方法。
【請求項１８】
駆動用電源を供給する二次電源と、
前記二次電源により駆動される計時手段と、
請求項１ないし請求項１４のいずれか一項に記載の電圧検出装置と、
を備えたことを特徴とする電子時計。
【請求項１９】
駆動用電源を供給する二次電源と、
前記二次電源により駆動される計時手段と、
請求項１５に記載の電池残量検出装置と、
を備えたことを特徴とする電子時計。
【請求項２０】
駆動用電源を供給する二次電源と、
前記二次電源により駆動される被駆動手段と、
請求項１ないし請求項１４のいずれか一項に記載の電圧検出装置と、
を備えたことを特徴とする電子機器。
【請求項２１】
駆動用電源を供給する二次電源と、
前記二次電源により駆動される被駆動手段と、
請求項１５に記載の電池残量検出装置と、
を備えたことを特徴とする電子機器。
【手続補正２】
【補正対象書類名】明細書
【補正対象項目名】０００７
【補正方法】変更
【補正の内容】
【０００７】
【課題を解決するための手段】
上記課題を解決するため、本発明が採用する電圧検出装置の構成は、二次電源の電圧を検出する電圧検出装置において、前記二次電源が急速充電されているか否かを検出する急速充電検出手段と、前記急速充電が検出されていない場合には、前記二次電源の蓄電量に相関を有する検出対象電圧を検出電圧として出力し、前記急速充電が検出されている場合には、前記急速充電に起因して二次電源に発生する見かけ上の電圧上昇分を前記検出対象電圧から相殺した検出電圧を出力する電圧生成手段と、前記検出電圧に基づいて、電圧検出結果信号を出力する電圧検出結果出力手段と、を備えたことを特徴としている。
一方、電圧検出装置の構成は、二次電源の電圧を検出する電圧検出装置において、前記二次電源の蓄電量に相関を有する電圧を検出対象電圧として出力する検出対象電圧出力手段と、前記二次電源が急速充電されているか否かを検出する急速充電検出手段と、前記急速充電が検出されている場合に前記検出対象電圧に対して前記急速充電に起因して二次電源に発生する見かけ上の電圧上昇分の電圧である補正電圧を前記検出対象電圧に重畳する補正を行う電圧補正手段と、前記検出対象電圧あるいは前記補正後の検出対象電圧に基づいて、電圧検出結果信号を出力する電圧検出結果出力手段と、を備えたことを特徴としている。
【手続補正３】
【補正対象書類名】明細書
【補正対象項目名】０００８
【補正方法】変更
【補正の内容】
【０００８】
上記構成において、前記電圧検出結果出力手段は、前記検出対象電圧あるいは前記補正後の検出対象電圧と予め定めた所定の基準電圧とを比較し、当該比較の結果を前記電圧検出結果信号として出力することを特徴としている。


【手続補正４】
【補正対象書類名】明細書
【補正対象項目名】０００９
【補正方法】変更
【補正の内容】
【０００９】
上記構成において、前記急速充電検出手段は、前記二次電源への充電状態を検出する充電状態検出手段と、前記充電状態が連続して検出された時間が予め定めた所定の充電基準時間を経過した場合に前記急速充電状態に移行したと判別する急速充電状態判別手段と、を備えたことを特徴としている。


【手続補正５】
【補正対象書類名】明細書
【補正対象項目名】００１０
【補正方法】変更
【補正の内容】
【００１０】
上記構成において、前記二次電源は、発電装置により充電され、前記充電状態検出手段は、前記発電装置から出力される発電電流の値が予め定めた発電電流値を越えたか否かを判別する発電電流判別手段を備えたことを特徴としている。


【手続補正６】
【補正対象書類名】明細書
【補正対象項目名】００１１
【補正方法】変更
【補正の内容】
【００１１】
上記構成において、前記二次電源は、発電装置により充電され、前記充電状態検出手段は、前記発電装置から出力される発電電流に基づいて前記二次電源の蓄電電圧を算出し、前記蓄電電圧が予め定めた基準蓄電電圧を超えたか否かを判別する蓄電電圧判別手段を備えたことを特徴としている。


【手続補正７】
【補正対象書類名】明細書
【補正対象項目名】００１２
【補正方法】変更
【補正の内容】
【００１２】
上記構成において、前記二次電源は、発電装置により充電され、前記充電状態検出手段は、前記発電装置における出力端子の電圧と前記二次電源の端子電圧に対応する所定の電圧とを比較する比較手段と、前記比較手段の比較結果に基づいて前記出力端子の電圧が前記二次電源の端子電圧を上回る場合に充電状態であると判別する充電状態判別手段と、を備えたことを特徴としている。


【手続補正８】
【補正対象書類名】明細書
【補正対象項目名】００１３
【補正方法】変更
【補正の内容】
【００１３】
上記構成において、前記充電状態検出手段は、前記二次電源の充電経路とは異なる経路を介して前記充電と並行して前記発電により充電が行われたか否かを判別することを特徴としている。


【手続補正９】
【補正対象書類名】明細書
【補正対象項目名】００１４
【補正方法】変更
【補正の内容】
【００１４】
上記構成において、前記二次電源は、発電装置により充電され、前記急速充電検出手段は、前記発電装置の発電状態を検出する発電状態検出手段と、前記発電状態が連続して検出された時間が予め定めた所定の発電基準時間を経過した場合に前記急速充電状態であると判別する急速充電状態判別手段と、を備えたことを特徴としている。


【手続補正１０】
【補正対象書類名】明細書
【補正対象項目名】００１５
【補正方法】変更
【補正の内容】
【００１５】
上記構成において、前記発電状態検出手段は、前記発電装置の出力電圧と予め定めた基準発電電圧とを比較する出力電圧比較手段と、前記出力電圧比較手段の比較結果に基づいて発電状態か否かを判別する発電状態判別手段と、を備えたことを特徴としている。


【手続補正１１】
【補正対象書類名】明細書
【補正対象項目名】００１６
【補正方法】変更
【補正の内容】
【００１６】
上記構成において、前記二次電源は、発電装置により充電され、前記急速充電検出手段は、前記二次電源への充電状態を検出する充電状態検出手段と、前記発電装置の発電状態を検出する発電状態検出手段と、前記充電状態が連続して検出された時間が予め定めた所定の充電基準時間を経過した場合、もしくは、前記発電状態が連続して検出された時間が予め定めた所定の発電基準時間を経過した場合に前記急速充電状態であると判別する急速充電状態判別手段と、を備え、前記発電基準時間は、前記充電基準時間よりも長く設定されている、ことを特徴としている。


【手続補正１２】
【補正対象書類名】明細書
【補正対象項目名】００１７
【補正方法】変更
【補正の内容】
【００１７】
上記構成において、前記発電状態検出手段は、前記二次電源の充電経路とは異なる経路を介して前記充電と並行して前記発電が行われたか否かを判別することを特徴としている。


【手続補正１３】
【補正対象書類名】明細書
【補正対象項目名】００１８
【補正方法】変更
【補正の内容】
【００１８】
上記構成において、前記検出対象電圧出力手段は、複数の相異なる前記検出対象電圧を生成することを特徴としている。


【手続補正１４】
【補正対象書類名】明細書
【補正対象項目名】００１９
【補正方法】変更
【補正の内容】
【００１９】
上記構成において、前記補正電圧は、予め定めた所定のオフセット電圧であることを特徴としている。


【手続補正１５】
【補正対象書類名】明細書
【補正対象項目名】００２０
【補正方法】変更
【補正の内容】
【００２０】
上記構成において、前記電圧補正手段は、前記複数の相異なる検出対象電圧にそれぞれ対応させて前記補正電圧を生成することを特徴としている。


【手続補正１６】
【補正対象書類名】明細書
【補正対象項目名】００２１
【補正方法】変更
【補正の内容】
【００２１】
上記前記二次電源の種類を判別する電源種類判別手段と、前記電源種類判別手段の判別結果に基づいて、複数の前記検出対象電圧に対応する複数の電圧検出結果信号のうちいずれかを選択して出力する判別結果選択手段と、を備えたことを特徴としている。


【手続補正１７】
【補正対象書類名】明細書
【補正対象項目名】００２２
【補正方法】変更
【補正の内容】
【００２２】
上記構成において、電圧検出結果出力手段は、前記二次電源の電圧を予め定めた所定の電圧幅を有する複数の段階に判別し、前記補正電圧あるいは前記検出対象電圧出力手段の出力する前記検出対象電圧の少なくともいずれか一方は前記段階毎に設定されることを特徴としている。


【手続補正１８】
【補正対象書類名】明細書
【補正対象項目名】００２３
【補正方法】変更
【補正の内容】
【００２３】
上記構成において、前記補正電圧あるいは前記検出対象電圧出力手段の出力する前記検出対象電圧のうち少なくとも前記補正電圧は前記二次電源の種類に対応して設定され、前記電圧補正手段は、前記二次電源の種類に対応する複数の前記補正電圧を生成する補正電圧生成手段と、前記電源種類判別手段の判別結果に対応する補正電圧を選択して出力する補正電圧選択手段と、を備えたことを特徴としている。


【手続補正１９】
【補正対象書類名】明細書
【補正対象項目名】００２４
【補正方法】変更
【補正の内容】
【００２４】
上記構成において、前記補正電圧および前記検出対象電圧出力手段の出力する前記検出対象電圧はそれぞれ前記二次電源の種類に対応して設定され、前記検出対象電圧出力手段は、前記二次電源の種類に対応する複数の検出対象電圧を生成する検出対象電圧生成手段と、前記電源種類判別手段の判別結果に対応する検出対象電圧を選択して出力する検出対象電圧選択手段と、を備え、前記電圧補正手段は、前記二次電源の種類に対応する複数の補正電圧を生成する補正電圧生成手段と、前記電源種類判別手段の判別結果に対応する補正電圧を選択して出力する補正電圧選択手段と、を備えた、ことを特徴としている。


【手続補正２０】
【補正対象書類名】明細書
【補正対象項目名】００２５
【補正方法】変更
【補正の内容】
【００２５】
上記構成において、前記電源種類判別手段は、外部からの種類指示信号に基づいて前記二次電源の種類を判別することを特徴としている。


【手続補正２１】
【補正対象書類名】明細書
【補正対象項目名】００２６
【補正方法】変更
【補正の内容】
【００２６】
上記構成において、前記種類指示信号は、外部入力端子を介して入力され、あるいは、メモリから入力されることを特徴としている。


【手続補正２２】
【補正対象書類名】明細書
【補正対象項目名】００２７
【補正方法】変更
【補正の内容】
【００２７】
上記構成において、前記急速充電判別手段は、前記急速充電検出手段により前記急速充電を検出している期間および前記急速充電が連続して検出されなくなった期間が所定の待機時間を経過するまでの期間を前記急速充電状態であると判別することを特徴としている。


【手続補正２３】
【補正対象書類名】明細書
【補正対象項目名】００２８
【補正方法】変更
【補正の内容】
【００２８】
上記構成において、前記急速充電判別手段は、前記急速充電検出手段により前記急速充電が検出されている期間および前記急速充電が検出されなくなってから所定の待機時間が経過するまでの期間を前記急速充電状態であると判別することを特徴としている。


【手続補正２４】
【補正対象書類名】明細書
【補正対象項目名】００２９
【補正方法】変更
【補正の内容】
【００２９】
上記構成において、前記待機時間は、前記二次電源の急速充電時に発生する見かけの電圧上昇がほぼ零になって安定するまでの期間に設定されることを特徴としている。


【手続補正２５】
【補正対象書類名】明細書
【補正対象項目名】００３０
【補正方法】変更
【補正の内容】
【００３０】
上記構成において、前記待機時間を複数記憶する待機時間記憶手段と、前記電源種類判別手段の判別結果に基づいて、前記待機時間記憶手段に記憶された待機時間のいずれかを選択的に出力する待機時間選択手段と、を備えたことを特徴としている。


【手続補正２６】
【補正対象書類名】明細書
【補正対象項目名】００３１
【補正方法】変更
【補正の内容】
【００３１】
上記構成において、前記待機時間が経過する前に再度前記急速充電が検出された場合には、前記待機時間の計測を初期化することを特徴としている。


【手続補正２７】
【補正対象書類名】明細書
【補正対象項目名】００３２
【補正方法】変更
【補正の内容】
【００３２】
上記構成において、前記検出対象電圧は所定の昇降圧倍率で昇降圧がなされた後の電圧であり、前記昇降圧倍率に基づいて、複数の前記検出対象電圧に対応する複数の電圧検出結果信号のうちいずれかを選択して出力する判別結果選択手段と、を備えたことを特徴としている。


【手続補正２８】
【補正対象書類名】明細書
【補正対象項目名】００３３
【補正方法】変更
【補正の内容】
【００３３】
上記構成において、前記段階に基づいて、複数の前記検出対象電圧に対応する複数の電圧検出結果信号のうちいずれかを選択して出力する判別結果選択手段と、を備えたことを特徴としている。


【手続補正２９】
【補正対象書類名】明細書
【補正対象項目名】００３４
【補正方法】変更
【補正の内容】
【００３４】
上記課題を解決するため、本発明が採用する電池残量検出装置の構成は、二次電源の電池残量を検出する電池残量検出装置において、上記のいずれかに記載の電圧検出装置と、前記電圧検出装置の出力した電圧検出結果信号に基づいて前記二次電源の残容量を判別する残容量判別手段と、を備えたことを特徴としている。


【手続補正３０】
【補正対象書類名】明細書
【補正対象項目名】００３５
【補正方法】変更
【補正の内容】
【００３５】
本発明が採用する電池残量検出装置の他の構成は、上記のいずれかに記載の電圧検出装置と、前記電圧検出装置の出力した電圧検出結果信号に基づいて前記二次電源の残容量を判別する残容量判別手段と、を備え、前記残容量判別手段は、前記待機期間中に予め定めた所定条件が満たされた場合には、前記急速充電状態以外の状態に移行したものとして前記二次電源の残容量を判別することを特徴としている。


【手続補正３１】
【補正対象書類名】明細書
【補正対象項目名】００３６
【補正方法】変更
【補正の内容】
【００３６】
上記構成において、前記所定条件は、前記二次電源の電圧が予め定めた所定の下限電圧を下回った場合であることを特徴としている。


【手続補正３２】
【補正対象書類名】明細書
【補正対象項目名】００３７
【補正方法】変更
【補正の内容】
【００３７】
上記構成において、前記所定条件は、前記残容量判別手段による前記二次電源の残容量が予め定めた所定の残量となった場合であることを特徴としている。


【手続補正３３】
【補正対象書類名】明細書
【補正対象項目名】００３８
【補正方法】変更
【補正の内容】
【００３８】
上記構成において、前記急速充電状態から前記非急速充電状態に移行した場合に、前記急速充電状態が終了する直前の前記二次電源の残容量と前記非急速充電状態移行直後の前記二次電源の残容量とを比較する残容量比較手段を有し、前記残容量比較手段の比較結果に基づいて前記急速充電状態が終了する直前の前記二次電源の残容量が属する前記段階に対し、前記非急速充電状態移行直後の前記二次電源の残容量が属する前記段階がより残容量が少ない段階である場合には、前記非急速充電状態移行直後の前記二次電源の残容量が属する前記段階を現在の残容量が属する段階とすることを特徴としている。


【手続補正３４】
【補正対象書類名】明細書
【補正対象項目名】００３９
【補正方法】変更
【補正の内容】
【００３９】
上記構成おいて、前記急速充電状態から前記非急速充電状態に移行した場合に、前記急速充電状態が終了する直前の前記二次電源の残容量と前記非急速充電状態移行直後の前記二次電源の残容量とを比較する残容量比較手段と、前記残容量比較手段の比較結果に基づいて前記急速充電状態が終了する直前の前記二次電源の残容量が属する前記段階に対し、前記非急速充電状態移行直後の前記二次電源の残容量が属する前記段階がより残容量が多い段階である場合には、予め設定した所定のランクアップ禁止解除条件が満たされるまで、前記残容量判別手段における前記二次電源の残容量が属する前記段階がより残容量が多い段階であると判別するのを禁止するランクアップ禁止制御手段と、を備えたことを特徴としている。


【手続補正３５】
【補正対象書類名】明細書
【補正対象項目名】００４０
【補正方法】変更
【補正の内容】
【００４０】
上記構成において、前記急速充電検出手段は、前記二次電源への充電状態を検出する充電状態検出手段を備え、前記ランクアップ禁止解除条件は、前記充電検出手段により充電状態を検出した場合であることを特徴としている。


【手続補正３６】
【補正対象書類名】明細書
【補正対象項目名】００４１
【補正方法】変更
【補正の内容】
【００４１】
上記構成において、前記二次電源の蓄電量に相関を有する電圧を検出する際に前記二次電源の充電を強制的に遮断する充電遮断手段を備えたことを特徴としている。


【手続補正３７】
【補正対象書類名】明細書
【補正対象項目名】００４２
【補正方法】変更
【補正の内容】
【００４２】
上記課題を解決するため、本発明が採用する電圧検出方法は、二次電源の電圧を検出する電圧検出方法において、前記二次電源が急速充電されているか否かを検出する急速充電検出過程と、前記急速充電が検出されていない場合には、前記二次電源の蓄電量に相関を有する検出対象電圧を検出電圧として出力し、前記急速充電が検出されている場合には、前記急速充電に起因して二次電源に発生する見かけ上の電圧上昇分を前記検出対象電圧から相殺した検出電圧を出力する電圧生成過程と、前記検出電圧に基づいて、電圧検出結果信号を出力する電圧検出結果出力過程と、を備えたことを特徴としている。
本発明が採用する他の電圧検出方法は、二次電源の電圧を検出する電圧検出方法において、前記二次電源の蓄電量に相関を有する電圧を検出対象電圧として出力する検出対象電圧出力過程と、前記二次電源が急速充電されているか否かを検出する急速充電検出過程と、前記急速充電が検出されている場合に前記検出対象電圧に対して前記急速充電に起因して二次電源に発生する見かけ上の電圧上昇分の電圧である補正電圧を前記検出対象電圧に重畳する補正を行う電圧補正過程と、前記検出対象電圧あるいは前記補正後の検出対象電圧に基づいて、電圧検出結果信号を出力する電圧検出結果出力過程と、を備えたことを特徴としている。
【手続補正３８】
【補正対象書類名】明細書
【補正対象項目名】００４３
【補正方法】変更
【補正の内容】
【００４３】
上記電池残量検出方法において、上記電圧検出方法により得られた検出対象電圧と予め定めた基準電圧とを比較することにより前記二次電源の残容量を判別する残容量判別過程を備えたことを特徴としている。
【手続補正３９】
【補正対象書類名】明細書
【補正対象項目名】００４４
【補正方法】変更
【補正の内容】
【００４４】
上記課題を解決するために、本発明が採用する電子時計の構成は、駆動用電源を供給する二次電源と、前記二次電源により駆動される計時手段と、上記のいずれかに記載の電圧検出装置と、を備えたことを特徴としている。
【手続補正４０】
【補正対象書類名】明細書
【補正対象項目名】００４５
【補正方法】変更
【補正の内容】
【００４５】
本発明が採用する他の電子時計の構成は、駆動用電源を供給する二次電源と、前記二次電源により駆動される計時手段と、上記のいずれかに記載の電池残量検出装置と、を備えたことを特徴としている。
【手続補正４１】
【補正対象書類名】明細書
【補正対象項目名】００４６
【補正方法】変更
【補正の内容】
【００４６】
上記課題を解決するために、本発明が採用する電子機器の構成は、駆動用電源を供給する二次電源と、前記二次電源により駆動される被駆動手段と、上記のいずれかに記載の電圧検出装置と、を備えたことを特徴としている。
【手続補正４２】
【補正対象書類名】明細書
【補正対象項目名】００４７
【補正方法】変更
【補正の内容】
【００４７】
本発明が採用する他の電子機器の構成は、駆動用電源を供給する二次電源と、前記二次電源により駆動される被駆動手段と、上記のいずれかに記載の電池残量検出装置と、を備えたことを特徴としている。